(57)【要約】【課題】  貸出しケースに収容しているＤＶＤなどが盗難に遭わないようにすると共に、耐久性に優れた貸し出しケースのロック機構の提供。【解決手段】  ロックプレート３のロック部１０には所定の間隔をおいて対を成す２つのロックツメ１２ａ，１２ｂを揺動可能に軸支し、そして両ロックツメ１２ａ，１２ｂの間には偏心した位置に設けた軸に揺動レバー１４を軸支している。両ロックツメ１２ａ，１２ｂの先端ツメ１６ａ，１６ｂは揺動して降下することで揺動レバー１４の先端に係止することが出来るように間には僅かな隙間１７ａ，１７ｂを介在し、そしてロックツメ１２ａ，１２ｂの基部２２ａ，２２ｂには弾性力を付勢して先端ツメ１６ａ，１６ｂがロックプレートロック部１０の上面１８から突出させ、マグネット２０ａ，２０ｂの磁気力を作用することで両ロックツメ１２ａ，１２ｂの先端ツメ１６ａ，１６ｂを降下してケース側に設けた係止部８ａ，８ｂから解除可能としている。【選択図】    図４
2007284102.tif 000002
【特許請求の範囲】
【請求項１】
店内の棚に陳列したＤＶＤ等が盗難に遭わないようにしたＤＶＤ等の貸出しケースの盗難防止機構において、該貸出しケースは本体ケースと本体ケースを閉じる蓋から成り、ケースの外側開口から警報装置が感知するタグシール等を貼着したロックプレートをロックプレート収容空間にスライドして嵌入することで上記蓋が開かないように互いに噛み合ってロックする構造とし、ロックプレートのロック部には所定の間隔をおいて対を成す２つのロックツメを揺動可能に軸支し、そして両ロックツメの間には偏心した位置に設けた軸に揺動レバーを軸支し、上記両ロックツメの先端ツメは揺動して降下することで揺動レバーの先端に係止することが出来るように間には僅かな隙間を介在し、そしてロックツメの基部には弾性力を付勢して先端ツメがロックプレートロック部の上面から突出させ、マグネットの磁気力を作用することで両ロックツメの先端ツメを降下してケース側に設けた係止部から解除可能としたことを特徴とする貸出しケースのロック機構。
【請求項２】
ケース側に設けた係止部を金属製とした請求項１記載の貸出しケースのロック機構。
【請求項３】
上記両ロックツメの基部を樹脂製バネにてバネ力を付勢した請求項１、又は請求項２記載の貸出しケースのロック機構。
【発明の詳細な説明】
【技術分野】
【０００１】
本発明はレンタルショップの棚に陳列されているＤＶＤ、ＣＤ、ゲームソフト等を盗難から守ることが出来る貸出しケースのロック機構に関するものである。
【背景技術】
【０００２】
ビデオテープの場合も同じであるが、ＤＶＤをケースのまま店内の陳列棚に直接配列している場合には盗難に遭うケースが多い。勿論、ＤＶＤの貸出しケースには盗難防止用のタグシールが貼着されていて、店の出入り口にある盗難防止ゲートをそのまま通過することで警報が鳴るようなシステムを採用している。しかし、このタグシールを剥してしまうならば、そのまま持ち出しても盗難防止ゲートが感知して警報を発することはない。
【０００３】
そこで、ＤＶＤを入れた貸出しケースにはロックプレートが挿入され、該貸し出しケースは開かないようにロックされると共に、ロックプレートに上記タグシールが貼着されている。そして、貸し出しケースは別の陳列用ケースに入れた状態で店内の陳列棚に配列している。そこで顧客は陳列ケースから貸し出しケースを取出して店のカウンターへ運んで借りることが出来る。この際、店員は所定の手続きをとった上でＤＶＤを収容した貸出しケースを顧客に手渡すことになるが、この貸出しケースからＤＶＤが取出せるように解錠しなくてはならない。
【０００４】
特許第３４５９９９７号に係る「盗難防止機能を備えたＤＶＤ等の貸出しケース」は、店内の棚に陳列したＤＶＤ等が盗難に遭わないように盗難防止機能を備えたＤＶＤ等の貸出しケースにおいて、該貸出しケースはＤＶＤ等の中心穴に嵌るヘソを備えた本体ケースと本体ケースを閉じる蓋から成り、ケースの側面開口から警報装置が感知するタグシール等を有すロック板をロック板嵌入空間にスライドして嵌入することで蓋が開かないように互いに噛み合ってロックする構造とし、ロック板の側縁にはケースから外側へ突出するツメを備え、又基部を中心として撓み変形する板バネを備えると共に、該板バネにはロックツメを設けてケースに形成した係止部に係止して外れないようにし、そして磁石にて板バネを引き寄せることでロックツメを係止部から解錠することで上記ツメを引いてロック板が抜取られるようになっている。
【０００５】
そこで、上記ロックツメを係止部から外す為に磁石が用いられ、磁石の磁気力を利用してロックツメを磁石側へ引き寄せて係止部から外し、その状態でロック板(ロックプレート)をスライドして取外すことが出来る。ここで、ロックプレートにはタグシールが貼着されていて、取外さないで貸出しケースを持ち出すならば、出入り口に設置している防犯装置が感知して警報を発するようにしている。
【０００６】
ところで、ＤＶＤなどを貸し出しする度にロックプレートを取外し、戻された貸し出しケースには再びロックプレートを嵌めて陳列棚に配置される。このように、該ロックプレートの出入れは頻繁に行われるために、ロックツメや係止部が損傷する。特に、ポリプロピレンを材質としている貸し出しケースに設けられている係止部はロックツメが係止することで磨耗したり、破損する場合もある。こ  のようになるとロック機能が働かなくなって、ロックプレートが外されてしまう。
【０００７】
一方、客の中にはＤＶＤなどを盗難するためにマグネットを使用してロックプレートを取外す場合もある。ロックプレートが外されてしまうならば、出入り口の防犯装置は反応せずして簡単に持ち出されてしまう。
【特許文献１】特許第３４５９９９７号に係る「盗難防止機能を備えたＤＶＤ等の貸出しケース」
【発明の開示】
【発明が解決しようとする課題】
【０００８】
このように、従来のＤＶＤ等の貸出しケースをロックしているロック機構には上記のごとき問題がある。本発明が解決しようとする課題はこの問題点であり、安全にロックできると共に、耐久性に優れた貸し出しケースのロック機構を提供する。
【課題を解決するための手段】
【０００９】
本発明に係る貸出しケースのロック機構は貸出しケースにロックプレートを差し込むことで該貸出しケースが開かないように機能させるものであり、貸出しケース内にはＤＶＤやＣＤなどを収容している。そして、ロックプレートには出入口に設置される警報装置(防犯装置)に反応するタグシールが貼着されている。貸出しケースは本体ケースと蓋から成り、蓋は継手部を介して開閉可能な構造とし、閉じることで本体ケースを被覆してＤＶＤ等を収納することが出来る。
【００１０】
ところで、ロックプレートには軸を中心として揺動する２つのロックツメが対を成して取付けられ、両ロックツメの間には揺動レバーが設けられている。そしてこれらロックツメ及び揺動レバーはマグネットによって引き付けられる磁性体で構成されている。そして、貸出しケース側にはロックツメが係止する係止部を設け、貸出しケースにロックプレートを差し込むことで、上記ロックツメが係止部に係止し、引っ張っても抜けないようにロックされる。本発明では係止部の耐久性を向上するために主として金属製としている。
【００１１】
上記ロックツメは軸支されて揺動可能な状態にあるが、基部側には弾性力(バネ力)が付勢されて先端ツメは突出して係止部に係止することが出来る。ロックツメはマグネットの磁気力によって先端側が引かれることで先端ツメは後退してケース側の係止部から離れ、ロックプレートを引き抜くことが出来る。磁気力の作用でロックツメが後退する場合、先端ツメは揺動レバーの両端に係止するようになる。
【発明の効果】
【００１２】
本発明のＤＶＤ等の貸出しケースは蓋をロックする為のロックプレートを差し込んでいて、このロックプレートを取外さない限り蓋を開くことが出来ない。ロックプレートには所定の間隔をおいて２つのロックツメが揺動可能に取付けられていて、ロックプレートを貸出しケースのロックプレート空間に差し込むならば、上記ロックツメの先端側に形成している先端ツメはケース側の係止部に係止してロックされる。
【００１３】
そこで、蓋を開く為にロックプレートを引き抜く場合には、マグネットを貸出しケースに当接又は近接することでロックツメを引き寄せて先端ツメを係止部から解除する。揺動可能に軸支されているロックツメはマグネットの磁気力に引かれて揺動し、先端ツメは解除される。ここで、対を成す２つのロックツメにおける先端ツメを引き寄せるために、２個のマグネットが使用される。連続した長いマグネットではロックツメの解除が出来ないようになっている。
【００１４】
両ロックツメの間に取付けた揺動レバーは両ロックツメの動きを規制することが出来る。すなわち、揺動レバーの軸は一方側に偏心した位置に設けられている為に、長いマグネットを貸出しケースに近づけた場合には、上記揺動レバーが揺動する為に、降下した側のロックツメの先端ツメは後退して係止部から解除されるが、逆に上昇した側のロックツメは後退することが出来ず、係止部から解除されない。勿論、短い(小さい)マグネットの場合には、なお更片方のロックツメしか解除することが出来なくなる。
【００１５】
本発明のロック機構は所定の距離を隔てた２個のマグネットを貸出しケースに近づけない限り両ロックツメの解除が出来なくなり、盗難防止を行ううえで大きな効果がある。ロックプレートを抜き取らないで店から貸出しケースごと持ち出すならば、該ロックプレートに貼着しているタグシールが警報装置に反応する。さらに、係止部は金属製であるために、ロックプレートを限りなく出入れしても該係止部が磨耗したり、破損することがなく、耐久性に優れたロック機構である。
【実施例】
【００１６】
図１は本発明に係る盗難防止機能を備えたＤＶＤの貸出しケースの外観を示している実施例である。同図の１は本体ケース、２は蓋を示し、蓋２は開閉可能に本体ケース１の縁に取付けられていて、該本体ケース１に被覆される。本体ケース１にはＤＶＤが収容され、該本体ケース１の中央に突出して設けたヘソ６がＤＶＤの穴に嵌って取付けられる。ところでＤＶＤは本体ケース１に収容されて蓋２が閉じられ、この状態で、例えば陳列用ケース(図示なし)に入れて店内の棚に配列される。
【００１７】
陳列用ケースにはタイトルシートが備わっている為に、顧客は陳列用ケースからＤＶＤが収容されている貸出しケースを抜取ってカウンターへ持ち運んで借りることが出来る。ところで、本発明の貸出しケースは蓋２を開いてＤＶＤが抜取られないように、該蓋２はロックされている為に、カウンターではこのロックを解錠して貸出すことになる。すなわち、貸出しケースの蓋２を閉じてロックプレート３を本体ケース１の開口４から嵌入することで蓋２はロックされる構造と成っている為に、貸し出す際には該ロックプレート３が抜き取られる。
【００１８】
図２は本発明に係る貸出しケースの蓋２を開いた状態の内部構造を示している実施例である。本体ケース１にはＤＶＤを収容する為の空間とロックプレート３を嵌入する為の空間が設けられ、ＤＶＤ収容空間５の中央にはヘソ６が突出していて、ＤＶＤの中心穴に嵌るようになっている。このヘソ６は従来のＣＤケースと同じである。
【００１９】
一方のロックプレート嵌入空間7にはロックプレート３がスライドして嵌入し、蓋２が開かないようにロックされる。すなわち、ロックプレート３を介して本体ケース１と蓋２が互いに連結される構造と成って、蓋２を開くことが出来なくなる。そして、該開口４からロックプレート嵌入空間７に嵌入したロックプレート３は嵌入完了に伴ってロックされ、解錠具にて解錠しない限り抜き取ることが出来なくなる。
【００２０】
その為に、蓋２のロックプレート収容空間７の一部であって、ロックプレート３を構成しているロック部１０が嵌るロック部嵌入空間１９の内面には係止部８ａ，８ｂが設けられ、差し込まれたロックプレート３のロックツメが係止することが出来る。同時に、差し込まれたロックプレート３によって蓋２が開かないような構造と成っている。図３はこのロックプレート３を示す具体例であるが、ロックプレート３は平板部９とロック部１０を有し、ロック部１０は基部１１から延び、平板部９はロック部１０の途中まで形成されている。
【００２１】
ところで、ロック部１０には２枚のロックツメ１２ａ，１２ｂが設けられ、ロックツメ１２ａは軸１３ａに揺動可能に軸支され、ロックツメ１２ｂは軸１３ｂに揺動可能に軸支されている。そして、両ロックツメ１２ａ，１２ｂの間には揺動レバー１４が軸１５に軸支されている。揺動レバー１４の両端は切欠かれてロックツメ１２ａ，１２ｂの先端ツメ１６ａ，１６ｂとの間に隙間１７ａ，１７ｂを残している。
【００２２】
上記ロックツメ１２ａ，１２ｂの先端ツメ１６ａ，１６ｂはロック部１０の上面１８から一部が突出している。すなわち、ロックツメ１２ａ，１２ｂの基部側は樹脂製バネにて力Ｐにて押圧されている為に、先端ツメ１６ａ，１６ｂが上面１８から常に突出することに成る。勿論、先端ツメ１６ａ，１６ｂを押圧したり、マグネットの磁気力にて引くならば先端ツメ１６ａ，１６ｂは樹脂製バネの弾性力に対抗して後退(降下)することが出来る。
【００２３】
図４はロックプレート３が貸出しケースに嵌入してロックされている場合を示している。(ａ)は正面図であり、(ｂ)は蓋２に取付けた係止部８ａ，８ｂを表している。係止部８ａ，８ｂは図２に示しているように蓋２に形成しているロックプレート３のロック部１０のロック部嵌入空間１９の仕切り部表面に取付けられ、ロック部１０が嵌ることでロックツメ１２ａ，１２ｂの先端ツメ１６ａ，１６ｂが係止部８ａ，８ｂに係止することが出来る。従って、ロックプレート３を引いても外すことは出来なくなる。同図の係止部８ａ，８ｂはコ形をした金属部品であり、蓋２の表面から差し込んだ状態で取付けられている。
【００２４】
図５はロックプレート３のロックツメ１２ａ，１２ｂの状態を表している概略図である。(ａ)ロックプレート３が貸出しケースに嵌ってロックされている場合であり、ロックツメ１２ａ，１２ｂは係止部８ａ，８ｂに係止している。(ｂ)はマグネット２０ａ，２０ｂによってロックツメ１２ａ，１２ｂの先端ツメ１６ａ，１６ｂが引き下げられ、係止部８ａ，８ｂから解除されている。従って、ロックプレート３を引き抜くことが出来る。
【００２５】
この場合、ロックツメ１２ａ，１２ｂは軸１３ａ，１３ｂを中心として揺動することで、基部側は上昇し、樹脂製バネ２１ａ、２１ｂが撓み変形する。(ｃ)はロックプレート３が引き抜かれた場合であり、マグネット２０ａ，２０ｂによる引っ張り力が無くなると、樹脂製バネ２１ａ，２１ｂのバネ力によって先端ツメは再び上昇する。
【００２６】
図６(ａ)は図５(ｂ)のロックツメ１２ａを表している。マグネット２０ａの磁気力によってロックツメ１２ａの先端ツメ１６ａが降下し、揺動レバー１４の先端に当り、逆に基部２２ａは上昇して樹脂製バネ２１ａを撓ませている。図６(ｂ)は図５(ｃ)のロックツメ１２ａを表している。マグネット２０ａの磁気力がなくなると、樹脂製バネ２１ａの作用で基部２２ａは降下して先端ツメ１６ａは上昇する。
【００２７】
ところで、ロックプレートを引き抜く場合には、所定の距離を隔てた２枚のロックツメ１２ａ，１２ｂにのみ作用するように２個のマグネット２０ａ，２０ｂが使用される。すなわち、ロックツメ１２ａ，１２ｂと同じ位置にマグネット２０ａ，２０ｂを配置した解除具２３が用いられる。盗難を目的としてマグネットを用いてロックプレート３を引き抜こうとしても、小さなマグネットであれば、何れか一方のロックツメ１２ａ又は１２ｂが引き寄せられるだけであって、他方のロックツメ１２ｂ又は１２ａの先端ツメ１６ｂ又は１６ａは係止部８ａ、８ｂに係止したままとなり、ロックプレート３を引き抜くことは出来ない。
【００２８】
本発明のロック機構は、マグネットが大きな場合であっても両ロックツメ１２ａ，１２ｂの先端ツメ１６ａ，１６ｂを降下して解除させることが出来ないようになっている。すなわち、偏心した位置に軸支されている揺動レバー１４はマグネットに引かれて揺動し、図７に示すように軸１５からの距離の長い右側が降下する。その為に右側のロックツメ１２ｂの先端ツメ１６ｂは降下して係止部から解除されるが、逆に左側のロックツメ１２ａの先端ツメ１６ａは上昇することになる。
【００２９】
従って、ロックプレート３を引き抜くことは出来ない。従って、マグネットを準備するだけではロックプレート３を外して貸出しケースに収容されているＤＶＤなどを盗難することは不可能となっている。両ロックツメ１２ａ，１２ｂと同じような間隔を隔てた２個のマグネット２０ａ，２０ｂを備えた解除具２３でなくては解除することが出来ない。
【図面の簡単な説明】
【００３０】
【図１】ロックプレートを外して貸出しケースの蓋を開いた状態の概略図。
【図２】貸出しケースの内部構造。
【図３】ロックプレートの実施例で、(ａ)は正面図、(ｂ)は右側面図、(ｃ)は背面図を表している。
【図４】ロックプレートのロックツメが蓋に設けた係止部に係止している場合。
【図５】(ａ)はロックプレートのロックツメが係止部に係止している場合、(ｂ)マグネットに引かれてロックツメの先端ツメが降下した場合、(ｃ)はロックプレートを引き抜いた場合。
【図６】(ａ)は図５の(ｂ)に示すロックツメ、(ｂ)は図５の(ｃ)ん示すロックツメ。
【図７】大きなマグネットを近づけた場合の両ロックツメの動作。
【符号の説明】
【００３１】
１  本体ケース
２  蓋
３  ロックプレート
４  開口
５  ＤＶＤ収容空間
６  ヘソ
７  ロックプレート収容空間
８  係止部
９  平板部
10  ロック部
11  基部
12  ロックツメ
13  軸
14  揺動レバー
15  軸
16  先端ツメ
17  隙間
18  上面
19  ロック部嵌入空間
20  マグネット
21  樹脂製バネ
22  基部
23  解除具
【図１】
2007284102.tif 000003
【図２】
2007284102.tif 000004
【図３】
2007284102.tif 000005
【図４】
2007284102.tif 000006
【図５】
2007284102.tif 000007
【図６】
2007284102.tif 000008
【図７】
2007284102.tif 000009